(57)【要約】【課題】入力検知電極の部分の光表示を見やすくでき、且つ、操作入力の検知精度の低下を防止できるようにする。【解決手段】トッププレート１６における裏面側には第１の導電体３０ａと、この第１の導電体３０ａに対するユーザーの手指の操作を検知して加熱手段を制御する制御部４８と、第１の導電体３０ａに形成された抜き孔３０ａｄと、光をこの抜き孔３０ａｄ下方から上方へ透過させる発光体４５とを備え、前記第１の導電体３０ａが、補助電極３０ａｈを有する。【選択図】図１
2010123379.tif 000002
【特許請求の範囲】
【請求項１】
加熱手段と、
この加熱手段の上方に設けられ被加熱物が載置されるトッププレートと、
前記トッププレートにおける裏面側に設けられた入力検知電極と、
前記入力検知電極に対するユーザーの手指の操作を検知して前記加熱手段を制御する制御手段と、
前記入力検知電極に形成された抜き孔と、
光をこの抜き孔下方から上方へ透過させる発光体とを備え、
前記入力検知電極は、補助電極を有することを特徴とする加熱調理器。
【請求項２】
前記入力検知電極は複数設けられ、前記抜き孔は複数の電極にまたがって文字を形成することを特徴とする請求項１に記載の加熱調理器。
【請求項３】
前記複数の入力検知電極は列状に配置され、列状をなす入力検知電極の前記文字は火力を表示することを特徴とする請求項２に記載の加熱調理器。
【請求項４】
前記入力検知電極に対応して表示部が設けられ、前記補助電極は、該表示部を挟んで前記入力検知電極と反対側に位置することを特徴とする請求項１ないし３のいずれかに記載の加熱調理器。
【請求項５】
前記制御部は、列状をなす入力検知電極の前記文字のうち、操作された入力検知電極の火力以下の火力に対応する文字を発光させることを特徴とする請求項３に記載の加熱調理器。
【請求項６】
前記入力検知電極は第１の導電体により形成され、この第１の導電体に対して電気絶縁層を介して対向する第２の導電体を設け、この第２の導電体は前記制御手段に電気的に接続され、前記発光体は、前記第２の導電体の下方に設けられ、前記第２の導電体には、前記入力検知電極の前記抜き孔に対向して当該抜き孔より大きい第２の抜き孔が形成され、前記電気絶縁層は少なくとも前記抜き孔と対向する部分が光を通す構成であることを特徴とする請求項１ないし５のいずれかに記載の加熱調理器。
【請求項７】
前記入力検知電極は第１の導電体により形成され、この第１の導電体に対して電気絶縁層を介して対向する第２の導電体を設け、この第２の導電体は前記制御手段に電気的に接続され、前記発光体は、前記第２の導電体の下方に設けられ、前記第２の導電体は光を透過する材料で構成され、前記電気絶縁層は少なくとも前記抜き孔と対向する部分が光を通す構成であることを特徴とする請求項１ないし５のいずれかに記載の加熱調理器。
【請求項８】
前記電気絶縁層は光透過性を有することを特徴とする請求項６又は７に記載の加熱調理器。
【請求項９】
前記第２の導電体に前記入力検知電極の前記補助電極と対向する第２の補助電極を設け、これら補助電極及び第２の補助電極を、前記入力検知電極及び第２の導電体の前記加熱手段寄りに設けたことを特徴とする請求項６ないし８のいずれかに記載の加熱調理器。
【請求項１０】
前記第２の導電体に前記入力検知電極の前記補助電極と対向する第２の補助電極を設け、これら補助電極及び第２の補助電極を、前記入力検知電極及び第２の導電体の前記加熱手段と反対側に設けたことを特徴とする請求項６ないし８のいずれかに記載の加熱調理器。
【請求項１１】
前記トッププレートの裏面には非導電性層が形成され、この非導電性層の裏面に前記第１の導電体が設けられていることを特徴とする請求項１ないし１０のいずれかに記載の加熱調理器。
【発明の詳細な説明】
【技術分野】
【０００１】
本発明は、トッププレートに入力検知電極を備えた加熱調理器に関する。
【背景技術】
【０００２】
この種の加熱調理器としては、特許文献１、２に示された構成が知られている。特許文献１には、トッププレートの裏面側に導電膜からなる非透光性の図柄表示部を設け、この図柄表示部より大きい範囲で、フレームに開口部を形成し、この開口部から光を図柄表示部に向けて光を当てる構成が記載されている。この構成では、導電膜からなる図柄表示部でのユーザーの操作（近接操作）を静電容量の変化で検知する。しかし、導電膜が図形表示を行うために、入力検知電極としての面積が小さく、操作入力の有無の検知精度が低くなるおそれがある。また、導電膜からなる図柄表示部の周囲は明るいものの、図柄表示部は暗く、見にくいというのが実情である。
【０００３】
これに対して、特許文献２には、入力検知電極に光透過部を設け、この光透過部により入力案内用の表示部を形成し、この光透過部に光を透過させる構成としている。
【特許文献１】特開２００８−９１１９３号公報
【特許文献２】特開２００５−３８７３９号公報
【発明の開示】
【発明が解決しようとする課題】
【０００４】
前記特許文献２の構成においては、特許文献１の構成に比して、光による表示内容が見やすいという利点があるが、この特許文献２の構成においても、入力検知電極に光透過部が形成されているため、入力検知電極としての面積が小さいという問題があり、操作入力の検知精度が低いという問題があった。
【０００５】
本発明は上述の事情に鑑みてなされたものであり、その目的は、入力検知電極の部分の光表示を見やすくでき、且つ、操作入力の検知精度の低下を防止できる加熱調理器を提供することにある。
【課題を解決するための手段】
【０００６】
請求項１の発明は、加熱手段と、この加熱手段の上方に設けられ被加熱物が載置されるトッププレートと、前記トッププレートにおける裏面側に設けられた入力検知電極と、前記入力検知電極に対するユーザーの手指の操作を検知して前記加熱手段を制御する制御手段と、前記入力検知電極に形成された抜き孔と、光をこの抜き孔下方から上方へ透過させる発光体とを備え、前記入力検知電極が、補助電極を有するところに特徴を有する。
【０００７】
この構成によれば、入力検知電極に抜き孔を形成し、この抜き孔に光を通して光表示をするから、光表示を見やすくでき、また、入力検知電極に補助電極を設けたことで、抜き孔分の電極面積を補填できて電極面積の減少をなくすことができ、操作入力検知精度の低下を防止できる。
【発明の効果】
【０００８】
本発明は、入力検知電極の部分の光表示を見やすくでき、且つ、操作入力の検知精度の低下を防止できる。
【発明を実施するための最良の形態】
【０００９】
以下、本発明をシステムキッチンに組み込まれる加熱調理器に適用した第１の実施例を図１〜図７を参照しながら説明する。図２には、キッチンキャビネット１に、加熱調理器２が組み込まれた状態の外観斜視図が示されている。また、図３は、トッププレートを外した状態で示す調理器本体３の平面図である。加熱調理器２の調理器本体３は、キャビネット１に設けられた開口４に落とし込み状態に組み込まれている。この調理器本体３の下部には、図２に示すロースタ部５が設けられている。
【００１０】
前記調理器本体３は、図３に示すように、上面が開口しており、内部の手前側に加熱手段としての二つの誘導加熱コイル８、９が設けられ、また中央奥部に別の加熱手段として例えばラジエントヒータからなるヒータ１０が設けられている。また、この調理器本体３内には、主回路基板１１が配設されており、この主回路基板１１には、多数の加熱強度表示用の発光ダイオードからなる表示器群１２Ａ、１２Ｂが実装されていると共に、例えば蛍光表示管からなる表示器１３、１４Ａ、１４Ｂ、１５Ａ、１５Ｂが実装されている。
図１及び図３に示すように、前記調理器本体３の開口部３ａの周縁部にはフランジ部３ｂが設けられており、このフランジ部３ｂが前記キャビネット１の開口４の縁部に配置されている。
【００１１】
さらに、図１、図２、図４に示すように、前記調理器本体３の上面には、開口部３ａを覆うように、つまり前記誘導加熱コイル８、９及びヒータ１０を上方から覆うように、耐熱ガラス製の透視可能なトッププレート１６が設けられている。このトッププレート１６の下面（裏面）は非導電性のスパッタにより非導電性層としての半透明層１６Ａ（図１参照）が形成されており、さらにこの半透明層１６Ａ下面には不透明な非導電性の塗装膜１６Ｂ（図１参照）が形成されており、内部が見えないようにしている。
【００１２】
なお、図４のＺ−Ｚ線断面箇所は、図５のＺ−Ｚ線断面箇所と同じ部位である。
このトッププレート１６の周縁部１６ａは調理器本体３より外側（前後方向及び左右方向）へ張り出しており、前記フランジ部３ｂにより支えられている。
このトッププレート１６において、左右の誘導加熱コイル８、９及びヒータ１０の上方に対応する部位はそれぞれ円形模様の調理器載置表示部１７、１８、１９が形成されている。
【００１３】
図４は以下に述べる表示部から光が放出されて各表示部が浮かび上がったように光表示されている状態を示している。
前記トッププレート１６の裏面において、調理器載置表示部１７、１８の前側には、前記表示器群１２Ａ、１２Ｂの上方に位置して調理条件表示部１２ＡＨ、１２ＢＨ（図４参照）が前記塗装膜１６Ｂに形成された抜き孔により設けられ、又、表示器１３、１４Ａ、１４Ｂ、１５Ａ、１５Ｂの上方に位置して表示内容が異なる調理条件表示部１３Ｈ、１４ＡＨ、１４ＢＨ、１５ＡＨ、１５ＢＨが前記塗装膜１６Ｂに形成された抜き孔により設けられている。なお、これら、各調理条件表示部１２ＡＨ、１２ＢＨ、１３ＡＨ、１４ＡＨ、１４ＢＨ、１５ＡＨ、１５ＢＨは、それぞれ対応する表示器によって下方から照明表示されることにより、半透明層１６Ａと透視可能なトッププレート１６とを通して該トッププレート１６上面から図４に示すように目視できる。
【００１４】
また、図１及び図５に示すように、このトッププレート１６の前縁部（調理器本体３より前方へ張り出した部分）の下面には、入力案内用表示部２０ＡＨ〜２７ＡＨ、２０ＢＨ〜２７ＢＨが前記塗装膜１６Ｂに形成された抜き孔により設けられている。これら入力案内用表示部２０ＡＨ〜２７ＡＨ、２０ＢＨ〜２７ＢＨは、後述する発光体４５からの発光により浮かび上がるように光表示される（図４参照）。なお、後述する発光体４５が消灯しているときには、トッププレート１６上面から内部はほぼ見えない状態（いわゆるブラックアウト状態）となる。
【００１５】
前記右側の入力案内用表示部２０ＡＨ〜２７ＡＨと、左側の入力案内用表示部２０ＢＨ〜２７ＢＨとは、それぞれ基本的に同じ構成であり、また、右側の入力案内用表示部２０ＡＨ〜２７ＡＨ下方部、及び左側の入力案内用表示部２０ＢＨ〜２７ＢＨ下方部に設けられた後述の入力検知電極などの構成についても、基本的に同じであるので、右側の入力案内用表示部２０ＡＨ〜２７ＡＨ下方部の入力検知電極などについて以下説明する。
【００１６】
入力案内用表示部２０ＡＨは加熱調理のスタート／切り用、入力案内用表示部２１ＡＨはオート選択用、入力案内用表示部２２ＡＨは加熱強度や加熱時間のアップ設定用、入力案内用表示部２３ＡＨは加熱強度や加熱時間のダウン設定用、入力案内用表示部２４ＡＨ〜２７ＡＨは加熱強度（火力）設定用である。
又、前記塗装膜１６Ｂには入力検知電極である後述の第１の導電体２８ａ〜４１ａの位置を表示するための表示部２８Ｈ〜４１Ｈが抜き孔により形成されている。これについては後述する。
【００１７】
前記入力案内用表示部２０ＡＨ〜２７ＡＨ下方には、図５に示すように、操作部２８〜４１が設けられている。
操作部２８〜４１は、図６に示す第１の導電体２８ａ〜４１ａと、図７に示す第２の導電体２８ｂ〜４１ｂと、これらの間に介在する図１及び図７に示す電気絶縁層４２とから構成されている。前記第１の導電体２８ａ〜４１ａは入力検知電極に相当する。
【００１８】
この場合、第１の導電体２８ａは、加熱調理のスタート／切りの入力を検知するための入力検知電極たるものであり、第１の導電体２９ａはオート調理選択の入力を検知するための入力検知電極たるものであり、第１の導電体３０ａは加熱強度や加熱時間のアップ設定の入力を検知するための入力検知電極たるものであり、第１の導電体３１ａは加熱強度や加熱時間のダウン設定の入力を検知するための入力検知電極たるものであり、第１の導電体３２ａ〜４１ａは、加熱強度（火力）設定の入力を検知するための入力検知電極あるものである。
【００１９】
図５では、前記第１の導電体２８ａ〜４１ａを平面的に示している。前記第１の導電体２８ａ〜３１ａは、前記塗装膜１６Ｂの下面に前記入力案内用表示部２０ＡＨ〜２３ＡＨに対応して形成されており、この場合、導電塗料を印刷し焼き付けて形成されている。
又、他の第１の導電体３２ａ〜４１ａは、前記塗装膜１６Ｂの下面に前記入力案内用表示部２４ＡＨ〜２７ＡＨに対応して形成されており、この場合も、導電塗料を印刷し焼き付けて形成されている。この第１の導電体３２ａ〜４１ａは、相互に手指による同時操作が可能な配置間隔で設けられている。
【００２０】
これら第１の導電体２８ａ〜４１ａは上述したようにトッププレート１６に一体に設けられている。
これら第１の導電体２８ａ〜４１ａには図５に示すように、対応する入力案内用表示部２０ＡＨ〜２７ＡＨの文字や図形と対向する部分に、当該文字や図形を、透光可能とするために若干大きめの抜き孔２８ａｄ〜４１ａｄが形成されている。
例えば、例えば入力案内用表示部２２ＡＨ及び操作部３０部分の断面を示す図１からわかるように、第１の導電体３０ａには、「＜」形状を示す当該入力案内用表示部２２ＡＨに対応して、若干大きめの略「＜」状をなす抜き孔３０ａｄが形成されている。
【００２１】
前記第１の導電体２８ａ〜４１ａのうち比較的大きい前記第１の導電体２８ａ〜３１ａにおいて、それらの抜き孔２８ａｄ〜３１ａｄは、該当する該第１の導電体からはみ出さないように形成されている。また列状をなし大きさが比較的小さい第１の導電体３２ａ〜４１ａにおいて、それらの抜き孔３２ａｄ〜４１ａｄは、文字を示すが、複数の第１の導電体にまたがるように形成された文字が多い。例えば第１の導電体３３ａの抜き孔３３ａｄは、「とろ火」の「火」ののほぼ左部を示し、次の第１の導電体３４ａの抜き孔３４ａｄは該「火」の右部を示している。つまり、抜き孔３３ａｄ、３４ａｄが複数の第１の導電体３３ａ、３４ａにまたがって文字を形成している。その他の文字の大部分が複数の導電体にまたがっている。
【００２２】
前記第１の導電体２８ａ〜４１ａには、調理器載置表示部１７、１８、１９寄りにつまり誘導加熱コイル８，９及びヒータ１０寄りにそれぞれ補助電極２８ａｈ〜４１ａｈが形成されている。この補助電極２８ａｈ〜４１ａｈのうち補助電極２８ａｈ〜３１ａｈは中央部で第１の導電体２８ａ〜３１ａと接続されている。また、列状をなす補助電極３２ａｈ〜４１ａｈは、左端部で第１の導電体３２ａ〜４１ａと接続されている。
【００２３】
ここで前記表示部２８Ｈ〜３１Ｈは、図５に示すように前記第１の導電体２８ａ〜３１ａの周囲を囲うように有端矩形環状に前記塗装膜１６Ｂに形成されており、光表示状態では図４に示したように矩形環状に見える。また表示部３２Ｈ〜４１Ｈは、直線状をなしており、前記第１の導電体３２ａ〜４１ａの上辺に沿う形態で前記塗装膜１６Ｂに形成されている。従って、前記補助電極３２ａｈ〜４１ａｈはこれら表示部３２Ｈ〜４１Ｈを挟んで第１の導電体３２ａ〜４１ａと反対側に位置する。
【００２４】
前記電気絶縁層４２は、図１に示すように、フレキシブル基板４３の可撓性ある基板本体を構成しており、透光可能な材料から構成され、もって透光性を有する。この電気絶縁層４２の下面に図１及び図７に示すように前記第２の導電体２８ｂ〜４１ｂが設けられている。この第２の導電体２８ｂ〜４１ｂは、銅薄膜からなり、該電気絶縁層４２に貼り付けられて一体に設けられている。
【００２５】
前記第２の導電体２８ｂ〜４１ｂには、前記第１の導電体２８ａ〜４１ａの補助電極２８ａｈ〜４１ａｈに対応して第２の補助電極２８ｂｈ〜４１ｂｈが形成されている。この第２の補助電極２８ｂｈ〜４１ｂｈのうち第２の補助電極２８ｂｈ〜３１ｂｈは中央部で第２の導電体２８ｂ〜３１ｂと接続されている。また、列状をなす第２の補助電極３２ｂｈ〜４１ｂｈは、左端部で第２の導電体３２ｂ〜４１ｂと接続されている。
【００２６】
この場合、各第２の補助電極２８ｂｈ〜４１ｂｈには接続導体２８ｂｃ〜４１ｂｃが後方へ一体に導出されている。
各第２の導電体２８ｂ〜４１ｂには図７に示すように、抜き孔２８ｂｄ〜４１ｂｄが形成されており、この抜き孔２８ｂｄ〜４１ｂｄは、第１の導電体２８ａ〜４１ａの抜き孔２８ａｄ〜４１ａｄに対向してやや大きめに形成されている。
【００２７】
従って、前記操作部２８〜４１においては、第１の導電体２８ａ〜４１ａが抜き孔２８ａｄ〜４１ａｄを有し、前記電気絶縁層４２が透光可能な材料から構成され、第２の導電体２８ｂ〜４１ｂが抜き孔２８ｂｄ〜４１ｂｄを有することで、図１に示す光透過部４４が設けられている。
【００２８】
図１において、前記第２の導電体２８ｂ〜４１ｂの下部には、発光体４５が設けられており、この発光体４５は前記フランジ部３ｂにより支持されている。また、この発光体４５は、導光部たる導光部材４６と、後述する光源たる例えばＬＥＤ４７とで構成されており、この発光体４５は、各操作部２８〜４１の光透過部４４（第２の抜き孔２８ｂｄ〜４１ｂｄ）及び表示部２８Ｈ〜４１Ｈに対応して設けられている。
【００２９】
前記導光部材４６は光導光可能な材料から構成されており、この導光部材４６は、一端側が前記各操作部２８〜４１の下側で且つ前記フランジ部３ｂ上側に位置し、途中部から他端部が開口部３ａ内の前側部分を下方向へ屈曲されて垂下されている。この導光部材４６における前記操作部２８〜４１対向部には、薄板状の光拡散板４６ａが形成されている。
前記フレキシブル基板４３は、前記導光部材４６上面から垂下部４６ｂに沿って設けられており、従って、該フレキシブル基板４３はトッププレート１６に対してほぼ垂直状に離間している。
【００３０】
また、このフレキシブル基板４３には制御手段たる制御部４８が前記トッププレート１６に対して略垂直状態に実装されており、この制御部４８には前記各第２の導電体２８ｂ〜４１ｂの前記接続導体２８ｂｃ〜４１ｂｃが接続されており、もって、各第２の導電体２８ｂ〜４１ｂが一体の接続導体２８ｂｃ〜４１ｂｃを介して直接制御部４８に接続されている。この制御部４８は前記操作部２８〜４１におけるユーザーの入力操作（ユーザーの手指が入力操作のために近接したこと）が有ったときには、各操作部２８〜４１の第１の導電体２８ａ〜４１ａと第２の導電体２８ｂ〜４１ｂとの間の静電容量の変化を検出することにより、前記入力操作の有無を検知し、そして前記誘導加熱コイル８、９及びヒータ１０を制御するものである。
【００３１】
前記フレキシブル基板４３の電気絶縁層４２には、光源であるＬＥＤ４７が前記導光部材４６の端部４６ｃ近傍に実装されており、従って、該ＬＥＤ４７は、導光部材４６の垂下する端に位置している。このＬＥＤ４７は制御部４８より第１の導電体２８ａ〜４１ａ側に設けられている。
【００３２】
このＬＥＤ４７は各操作部２８〜４１が入力操作されると制御部４８により点灯制御される。このＬＥＤ４７は、各操作部２８〜４１にそれぞれ対応して必要数が設けられており、操作部２８〜４１に対応する入力案内用表示部２０ＡＨ〜２７ＡＨ及び表示部２８Ｈ〜４１Ｈを光表示するようになっている。図１において、ＬＥＤ４７が点灯されると、その光は、導光部材４６を通り、光拡散板４６ａから拡散され、さらに、第２の導電体３０ｂの第２の抜き孔３０ｂｄ、透光可能な電気絶縁層４２、第１の導電体３０ａの抜き孔３０ａｄ、入力案内用表示部２２ＡＨ、半透明層１６Ａ、トッププレート１６を通して外部に放出される。また、光拡散板４６ａから拡散された光は、透光可能な電気絶縁層４２を通して前記前記表示部３０Ｈからも光が放出される。これにより、「＜」状の入力案内用表示部２２ＡＨ及び直線状（「−」状）の表示部３０Ｈが光表示される。この光表示作用は他の入力案内用表示部についても同様である。
【００３３】
前記制御部４８は、列状をなす第１の導電体３２ａ〜４１ａの抜き孔３２ａｄ〜４１ａｄの文字のうち、操作された第１の導電体の火力以下の火力に対応する文字を発光させるようになっている。例えば、第１の導電体３７ａが操作されると、「中火」以下の文字が発光される。
【００３４】
このような本実施例によれば、入力検知電極たる第１の導電体２８ａ〜４１ａに抜き孔２８ａｄ〜４１ａｄを形成し、この抜き孔２８ａｄ〜４１ａｄに光を通して光表示することができて見やすくでき、また、第１の導電体２８ａ〜４１ａに補助電極２８ａｈ〜４１ａｈを設けたことで、抜き孔分の電極面積を補填できて電極面積の減少をなくすことができ、操作入力検知精度の低下を防止できる。
【００３５】
ここで、複数の第１の導電体２８ａ〜４１ａを設けた構成において、抜き孔２８ａｄ〜４１ａｄによる文字を、一つの第１の導電体に対して、一文字分収めるように形成したとすると、複数の第１の導電体２８ａ〜４１ａでの文字間隔がとれずに文字が小さくなって表示内容が見にくくなるおそれがある。
【００３６】
しかるに、本実施例によれば、前記抜き孔２８ａｄ〜４１ａｄの適宜の抜き孔を、複数の第１の導電体２８ａ〜４１ａの適宜の電極にまたがって文字を形成するようにしたから、抜き孔による文字を小さくしなくても済み、つまり、文字を大きく形成することができて、見やすい表示にできる。
【００３７】
この場合、本実施例によれば、第１の導電体３２ａ〜４１ａを列状に配置し、該列状をなす第１の導電体３２ａ〜４１ａの前記文字が火力を表示するようにしたので、火力を大きな文字で表示することができる。
【００３８】
また、本実施例によれば、第１の導電体３２ａ〜４１ａに対応して表示部３２Ｈ〜４１Ｈを設け、補助電極２８ａｈ〜４１ａｈを、該表示部３２Ｈ〜４１Ｈを挟んで前記第１の導電体３２ａ〜４１ａと反対側に位置させたから、ユーザーが第１の導電体３２ａ〜４１ａ及び補助電極２８ａｈ〜４１ａｈの両方に対して入力操作（近接操作）するようになって、入力検知が確実となる。すなわち、表示部３２Ｈ〜４１Ｈがある場合には、ユーザーはこの表示部３２Ｈ〜４１Ｈを頼りに入力操作する。このとき本実施例によれば該表示部３２Ｈ〜４１Ｈを挟んだ両側に第１の導電体３２ａ〜４１ａと補助電極３２ａｈ〜４１ａｈとがあるから、自ずとその両電極を入力操作することになり、この結果、操作入力検知が確実となる。
【００３９】
又本実施例によれば、制御部４８が、列状をなす第１の導電体３２ａ〜４１ａの文字のうち、操作された第１の導電体３２ａ〜４１ａの火力以下の火力に対応する文字を発光させるようになっているから、文字の発光領域が操作された第１の導電体３２ａ〜４１ａの火力に応じて変化するから、火力表示が分かりやすい。
【００４０】
又、本実施例においては、入力検知電極を第１の導電体２８ａ〜４１ａにより形成し、この第１の導電体２８ａ〜４１ａに対して電気絶縁層４２を介して対向する第２の導電体２８ｂ〜４１ｂを設け、この第２の導電体２８ｂ〜４１ｂを前記制御手段４８に電気的に接続し、前記発光体４５を、前記第２の導電体２８ｂ〜４１ｂの下方に設け、前記第２の導電体２８ｂ〜４１ｂに、第１の導電体２８ａ〜４１ａの抜き孔２８ａｄ〜４１ａｄに対向して当該抜き孔２８ａｄ〜４１ａｄより大きい第２の抜き孔２８ｂｄ〜４１ｂｄを形成し、前記電気絶縁層４２を光を通す構成とした。
【００４１】
入力検知電極が制御部に電気的に接続され、ユーザーによる当該入力検知電極に対する操作による微弱電流の変化を検知することで、ユーザーの入力操作の有無を検出する方式であると、入力検知電極が酸化すると電気的抵抗が変化して入力操作の有無の検出が不正確となることがあるが、上述構成の本実施例によれば、第１の導電体２８ａ〜４１ａと第２の導電体２８ｂ〜４１ｂとの間に電気絶縁層４２が存在することで静電結合されており、ユーザーが第１の導電体２８ａ〜４１ａを手指接近動作により操作すると、静電容量が変化し、その変化を制御部４８が検知して前記ユーザーの入力操作の有無を検知する。
【００４２】
従って、第１の導電体２８ａ〜４１ａ及び第２の導電体２８ｂ〜４１ｂが酸化するようなことがあっても、これら導電体間の静電容量が変化することがないので、操作入力の検知精度が低下することを防止できる。この場合、第２の導電体２８ｂ〜４１ｂを設けたことで、光表示が阻害されることが懸念されるが、前記第２の導電体２８ｂ〜４１ｂの下部に発光体４５を設け、該第２の導電体２８ｂ〜４１ｂに、第１の導電体２８ａ〜４１ａの抜き孔２８ａｄ〜４１ａｄよりも大きい第２の抜き孔２８ｂｄ〜４１ｂｄを形成したから、入力検知電極の抜き孔から光を支障なく放光させることができる。この場合、電気絶縁層４２は少なくとも抜き孔２８ａｄ〜４１ａｄと対向する部分が光を通す構成であれば良い。
【００４３】
又、本実施例によれば、前記電気絶縁層４２を光透過性を有する構成としたから、電気絶縁層４２に光透過用の開口を形成せずに済み、製作コストの低減を図り得る。
又、本実施例によれば、前記第２の導電体２８ｂ〜４１ｂに前記第１の導電体２８ａ〜４１ａの前記補助電極２８ａｈ〜４１ａｈと対向する第２の補助電極２８ｂｈ〜４１ｂｈを設け、これら補助電極２８ａｈ〜４１ａｈ及び第２の補助電極２８ｂｈ〜４１ｂｈを、前記第１の導電体２８ａ〜４１ａ及び第２の導電体２８ｂ〜４１ｂの前記誘導コイル８，９及びヒータ１０寄りに設けたから、逆に第１の導電体２８ａ〜４１ａを前記誘導コイル８，９及びヒータ１０から離すことができ、ユーザーの操作の際に手指が、前記誘導コイル８，９及びヒータ１０上の被調理物から遠くて安全性に優れている。
【００４４】
又、本実施例によれば、トッププレート１６の裏面に非導電性層（スパッタからなる半透明層１６Ａ）を形成し、この半透明層１６Ａの裏面に第１の導電体２８ａ〜４１ａを設けたから、半透明層１６Ａ下方に上記第１の導電体２８ａ〜４１ａを設けても、静電容量式の操作部２８〜４１を構成することができる。つまり、導電性のスパッタから導電性層を形成すると、その下方には静電容量式の操作部は構成できないが、本実施例ではそのようなことはない。
【００４５】
次に本発明の第２の実施例について、図８を参照して説明する。前記第１の実施例では、補助電極２８ａｈ〜４１ａｈ（範囲Ｌ１、Ｌ２部分）及び第２の補助電極２８ｂｈ〜４１ｂｈを誘導コイル８，９及びヒータ１０寄りに設けたが、この第２の実施例では、補助電極２８ａｈ´〜４１ａｈ´及び第２の補助電極（これについては図示せず）を、第１の導電体２８ａ〜４１ａ及び図示しない第２の導電体の前記誘導コイル８，９及びヒータ１０と反対側に設ける構成とした。
【００４６】
この第２の実施例によれば、これら補助電極２８ａｈ´〜４１ａｈ´及び第２の補助電極の電極面積を誘導コイル８，９及びヒータ１０のない部分で広く確保することが可能で、よって、これら補助電極及び第２の補助電極を含めた第１の導電体２８ａ〜４１ａ及び第２の導電体２８ｂ〜４１ｂの対向面積を増やすことができて、入力検知精度の低下をさらに確実に防止できる。
【００４７】
又、本発明の第３の実施例として示す図９のように導光部材４６とフレキシブル基板４３との間に保持板５１を設けてフレキシブル基板４３を保持する構成としても良い。この場合、保持板５１には前記光透過部４４に対応して光透過孔部５１ａを形成すると良い。この場合、前記導光部材４６には、前記操作部２８〜４１と対向する面にプリズムシート５２を設け、このプリズムシート５２に前記光拡散板４６ａを設ける構成としている。このプリズムシート５２は、導光部材４６の光を上方（操作部２８〜４１方向）に変換する作用を有し、光方向変換を良好に行うことができる。このプリズムシート５２は第１の実施例構成に追加するようにしても良い。
【００４８】
本発明は、上記各実施例に限定されず、次のようにしても良い。
入力検知電極を第１の導電体により形成され、この第１の導電体に対して電気絶縁層を介して対向する第２の導電体を設け、この第２の導電体が前記制御手段に電気的に接続され、前記発光体が、前記第２の導電体の下方に設けられ、前記第２の導電体を、透明電極などの光を透過する材料で構成し、前記電気絶縁層は少なくとも前記抜き孔と対向する部分が光を通す構成としても良い。このようにすれば、第１の導電体と第２の導電体との間に電気絶縁層が存在することで静電結合されており、入力案内用表示部にユーザーの手指が操作のために近接すると、静電容量が変化し、その変化を制御部が検知して前記ユーザーの入力操作の有無を検知する。従って、第１の導電体及び第２の導電体が酸化するようなことがあっても、これら導電体間の静電容量が変化することがないので、操作入力の検知精度が低下することを防止できる。この場合、第２の導電体を設けたことで、光表示が阻害されることが懸念されるが、前記第２の導電体の下部に発光体を設け、該第２の導電体が光を透過する材料から構成したから、入力検知電極の抜き孔から光を支障なく放光させることができる。そして、第２の導電体は光透過材料であるから、この第２の導電体には光透過用の開口（抜き孔）を形成する必要がない。
【００４９】
また、入力案内用表示部２０ＡＨ〜２７ＡＨは無くても良い。すなわち、第１の導電体２８ａ〜４１ａの抜き孔２８ａｄ〜４１ａｄが、最終的な文字や図形を表示するように形成すれば、表示手段として有効であり、従って、上述の入力案内用表示部２０ＡＨ〜２７ＡＨは無くても良い。この場合、当該表示部を窓状にしたり、あるいは当該表示部を塗装膜１６Ｂごとなくしてもよい。
【００５０】
又、上記実施例では、ＬＥＤ４７が点灯されているときにのみ光表示できるようにしているが、消灯時に入力案内用表示部２０ＡＨ〜２７ＡＨが半透明層１６Ａを通して目視できる可能性もあり、このような場合には、トッププレート１６を半透明材料で構成したり、光透過可能な黒色に着色したり、あるいは塗装膜１６Ｂを暗色にしたりするようにすると、消灯時において、ユーザーが目視できない状態（ブラックアウト状態）をさらに確実に実現できるようになる。
【００５１】
この場合、前記光拡散板４６ａは、トッププレート１６を通過した可視光を吸収する機能を設けても良い。このようにすると、外部からトッププレート１６及び半透明層１６Ａ並びに塗装膜１６Ｂの入力案内用表示部２０ＡＨ〜２７ＡＨを通した可視光を該光拡散板４６ａで吸収できて、内部が視認しにくくすることができる。
【００５２】
前記半透明層を形成するスパッタや、印刷の方法は、次の公知技術等の種々の方法に基づいて実施すればよい。例えば、特開2007-227402号、特開2004-247186号、特開2008-267633号、特開2008-239405号、特開2008-226608号、特開2008-14552号、特開2003-86337号、特開平10-284238号、特開2008-267633号、特開2008-179537号、特開2006-177628号、特開2006-125645号、特開2005-90906号、特開2005-55005号、特開2004-342609号、特開2004-333102号、特開2004-225950号、特開2004-211910号、特開2004-193050号。
【図面の簡単な説明】
【００５３】
【図１】本発明の第１の実施例を示し、図４のＺ−Ｚ線断面図
【図２】加熱調理器をキッチンキャビネットに組み込んで示す斜視図
【図３】トッププレートを省略して示す平面図
【図４】全光表示を示すトッププレートの平面図
【図５】塗装膜部分の平面図
【図６】第１の導電体を示す平面図
【図７】第２の導電体を示す平面図
【図８】本発明の第２の実施例を示す図６相当図
【図９】本発明の第３の実施例を示す図１相当図
【符号の説明】
【００５４】
図面中、１はキッチンキャビネット、２は加熱調理器、３は調理器本体、４は開口、８、９は誘導加熱コイル（加熱手段）、１０はヒータ（加熱手段）、１６はトッププレート、１６Ａは半透明層（非導電性層）、２０ＡＨ〜２７ＡＨは入力案内用表示部、２８〜４１は操作部、２８ａ〜４１ａは第１の導電体、２８ｂ〜４１ｂは第２の導電体、４２は電気絶縁層、４３はフレキシブル基板、４４は光透過部、４６は導光部材（導光部）、４５は発光体、４７はＬＥＤ（光源）、４８は制御部（制御手段）を示す。
【図１】
2010123379.tif 000003
【図２】
2010123379.tif 000004
【図３】
2010123379.tif 000005
【図４】
2010123379.tif 000006
【図５】
2010123379.tif 000007
【図６】
2010123379.tif 000008
【図７】
2010123379.tif 000009
【図８】
2010123379.tif 000010
【図９】
2010123379.tif 000011